(57)【要約】【課題】効率よく掃除作業を行うことができると共に、何層にも重なるように折り畳んだ状態でも使い勝手のよい拭き布を提供する。【解決手段】使用に応じて折り畳むことで、清潔な面による拭き掃除が可能な矩形状の拭き布１であって、縫着された糸２１、２２、２３、２４、２５によって、一列に連設した、略同一形状からなる複数の区画１１、１２、１３、１４、１５に区切られており、少なくとも両端の区画１１、１５が、一端が開口した袋状に形成されていることを特徴とする拭き布１を提供する。【選択図】図１
0003165339.tif 000002
【実用新案登録請求の範囲】
【請求項１】
使用に応じて折り畳むことで、清潔な面による拭き掃除が可能な矩形状の拭き布であって、
縫着された糸によって、一列に連設した、略同一形状からなる複数の区画に区切られており、
少なくとも両端の上記区画が、一端が開口した袋状に形成されている、
ことを特徴とする拭き布。
【請求項２】
上記複数の区画には、各区画を識別するための識別標識が付されている、
請求項１記載の拭き布。
【請求項３】
上記識別標識は、上記区画ごとに異なる文字である、
請求項２記載の拭き布。
【請求項４】
上記識別標識は、上記区画ごとに異なる色で縫着された糸である、
請求項３記載の拭き布。
【請求項５】
所定のフックに上記拭き布を引掛けるための引掛け部が端部に取り付けられている、
請求項１乃至４いずれかの項に記載の拭き布。
【請求項６】
使用に応じて折り畳むことで、清潔な面による拭き掃除が可能な十字状の拭き布であって、
縫着された糸によって、縦横一列に連設した、略同一形状からなる複数の区画に区切られており、
少なくとも、縦横いずれかの両端の上記区画が、一端が開口した袋状に形成されている、
ことを特徴とする拭き布。
【請求項７】
上記複数の区画には、各区画を識別するための識別標識が付されている、
請求項６記載の拭き布。
【考案の詳細な説明】
【技術分野】
【０００１】
本考案は、雑巾、ふきん、ウェス、カウンタークロス等として使用可能な拭き布に関する。
【背景技術】
【０００２】
拭き布は、家庭やオフィスでは、机や床、鏡、窓ガラス、戸棚等の様々なものを磨いたり、汚れを拭い取ったり、また、溢した水や油等の液体を拭き取ったりする際に用いられている。
【０００３】
拭き布は一回の掃除の中で、汚れを拭き取る面が汚れる度に洗うが、一回の掃除の中で何度も洗ったりするのは非常に煩わしい。また、汚れを拭き取ることで汚れた面を折り畳み、他のきれいな面で汚れを拭き取ったりもすることもあるが、この場合、拭き布を何回も使っているうちに汚れが染み付き、どの面がきれいな面なのか分からなくなってしまったりする。
【０００４】
そこで、特許文献１には、拭き掃除の際に、雑巾の使用済みの汚れた面を、誤って繰り返し使用することを防ぐ雑巾として、四つ折にした状態の雑巾の表裏の各面に、数字を１から８まで順番に設け、それらの数字をつなぐ矢印を設けた雑巾が提案されている（特許文献１参照）
【先行技術文献】
【特許文献】
【０００５】
【特許文献１】実用新案登録第３１５０２１８号公報
【考案の概要】
【考案が解決しようとする課題】
【０００６】
特許文献１記載の雑巾によれば、間違って使用済みの汚れた面を使うことなく、効率よく掃除を行うことができる。
しかしながら、使用の際には、雑巾を折り畳み、雑巾が何層にも重なったような状態となる。このように何層にも重なった状態の雑巾を上から手で押さえつけて使用しようとすると、折り畳んだ部分が崩れたりして、使いづらい。
【０００７】
そこで、本考案は、効率よく掃除作業を行うことができると共に、何層にも重なるように折り畳んだ状態でも使い勝手のよい拭き布を提供することを目的とする。
【課題を解決するための手段】
【０００８】
上記目的を達成するため、本考案に係る拭き布は、使用に応じて折り畳むことで、清潔な面による拭き掃除が可能な矩形状の拭き布であって、縫着された糸によって、一列に連設した、略同一形状からなる複数の区画に区切られており、少なくとも両端の上記区画が、一端が開口した袋状に形成されていることを特徴とする。
【０００９】
また、上記複数の区画には、各区画を識別するための識別標識が付されているものとしてもよい。
【００１０】
また、上記識別標識は、上記区画ごとに異なる文字であるものとしてもよい。
【００１１】
また、上記識別標識は、上記区画ごとに異なる色で縫着された糸であるものとしてもよい。
【００１２】
また、所定のフックに上記拭き布を引掛けるための引掛け部が端部に取り付けられているものとしてもよい。
【００１３】
また、本考案の別の拭き布は、使用に応じて折り畳むことで、清潔な面による拭き掃除が可能な十字状の拭き布であって、縫着された糸によって、縦横一列に連設した、略同一形状からなる複数の区画に区切られており、少なくとも、縦横いずれかの両端の上記区画が、一端が開口した袋状に形成されていることを特徴とする。
【００１４】
また、上記複数の区画には、各区画を識別するための識別標識が付されているものとしてもよい。
【考案の効果】
【００１５】
本考案によれば、効率よく掃除作業を行うことができると共に、何層にも重なるように折り畳んだ状態でも使い勝手のよい拭き布を提供することを目的とする。
【図面の簡単な説明】
【００１６】
【図１】本考案の第一の実施形態に係る拭き布を示す外観斜視図である。
【図２】本実施形態に係る拭き布を折り畳む様子を示す外観斜視図であって、（ａ）、（ｂ）、（ｃ）は夫々、異なる面を、汚れを拭き取る面とする場合を示す。
【図３】折り畳んだ拭き布の使用状態を示す外観斜視図である。
【図４】本考案の第二の実施形態に係る拭き布を示す外観斜視図である。
【考案を実施するための形態】
【実施例１】
【００１７】
次に、本考案の第一の実施形態に係る拭き布について、図を参照して説明する。
図１に示されるように、本実施形態に係る拭き布１は、汚れを拭き取る雑巾や布きんとして用いられる矩形状の布である。
なお、拭き布１は、木綿やレーヨン等、各種の繊維で構成することができ、特に素材は限定されない。
【００１８】
この拭き布１の布地には、布地と異なる色であって、互いに異なる色の糸２１、２２、２３、２４、２５が縫着されている。また、この糸２１、２２、２３、２４、２５は夫々、互いに合同な略正方形の四角形状に縫着されており、さらに、当該四角形の一の対角線上にも縫着されている。
【００１９】
そして、糸２１、２２、２３、２４、２５によって区切られると共に、一列に連設した四角形の面は夫々、区画１１、１２、１３、１４、１５を形成する。
この区画１１、１２、１３、１４、１５は夫々、使用の際に、床や机等の汚れを拭き取る面（以下、使用の際に、汚れを拭き取る役割を果たす面を「払拭面」という）を構成する。
この区画１１、１２、１３、１４、１５は一列に連設されており、端から順に、各区画１１、１２、１３、１４、１５を識別するための１から５の数字からなる識別標識３１、３２、３３、３４、３５が隅に刺繍されている。
【００２０】
このような識別標識３１、３２、３３、３４、３５が各区画１１、１２、１３、１４、１５に付されていることにより、いずれの区画１１、１２、１３、１４、１５を使って拭き取り掃除を行ったか否かを識別等するのに便利である。例えば、識別標識３１、３２、３３、３４、３５として連番の数字が用いられており、若い数字が付された区画１１、１２、１３、１４、１５から使うこととすれば、ある区画１１、１２、１３、１４、１５を使い終えた際、当該使い終えた区画１１、１２、１３、１４、１５に識別標識３１、３２、３３、３４、３５として付された数字の次に大きい数字の区画１１、１２、１３、１４、１５を使っていけば、使用済みの区画１１、１２、１３、１４、１５を間違って使うことなく拭き掃除を行うことができる。
【００２１】
なお、各区画１１、１２、１３、１４、１５を識別するための識別標識３１、３２、３３、３４、３５は、数字に限らず、英字（アルファベット）やカタカナなどでもよい。また、互いに異なるキャラクターや模様、互いに異なる色の糸２１、２２、２３、２４、２５でも、各区画１１、１２、１３、１４、１５を識別することができるが、数字、英字、カタカナなどのように、大小の順、２６音順、５０音順など、何らかの決まった順序をもったものを用いるのが好適である。何らかの決まった順序があれば、当該順序に従って使うことで、既にどの区画１１、１２、１３、１４、１５を使ったのか判別しやすいからである。
【００２２】
拭き布１の両端に位置する区画１１、１５は、一端側に開口部１１ａ、１５ａを有する袋状に形成されている。この開口部１１ａ、１５ａには、手を挿し入れることができ、拭き掃除の際、手を挿し入れた状態で拭き布１を前後左右等に動かすことで、必要以上の力を加えて拭き布１を押さえつけなくとも、楽に拭き掃除を行うことができる。
【００２３】
なお、区画１１、１５を袋状に形成するには例えば、重ね合わせた二枚の布を、部分的に開口させた状態で縫い合わせればよい。
また、拭き布１の両端以外の区画１２、１３、１４についても、開口部を設け、袋状に形成するようにしてもよい。
【００２４】
区画１１の端部には、机や台等に取り付けられたフックなどに引掛けて、拭き布１を吊り下げるための吊下げ環４が縫い付けられている。この吊下げ環４は、例えばゴム紐の端部同士を区画１１に縫い付けてリング状に形成したものである。
この吊下げ環４により、不使用時にはフックなどに吊り下げておくことができる
【００２５】
以上の構成からなる拭き布１を使用する際には、図２に示されるように、隣り合う区画１１、１２、１３、１４、１５の間で拭き布１を折り畳んで用いる。
図２（ａ）は、区画１１を払拭面とする場合の例を示している。この例では、区画１１を最下部にして、隣り合う区画１１、１２、１３、１４、１５の間を交互に谷折り、山折りとし、区画１１上に順次、区画１２、１３、１４、１５を層状に折り重ねる。
【００２６】
また、図２（ｂ）は、区画１１を使用し終えるなどして、区画１２を払拭面とする場合の例を示している。この例では、区画１２を最下部にして区画１１を区画１２上に折り重ね、さらにその上に区画１３、１４、１５を順次、折り重ねる。
なお、本例では、区画１５を最上部に折り重ねているが、区画１１を最上部に折り重ね、区画１２と区画１１の間に区画１３、１４、１５を畳み入れてもよい。
【００２７】
さらに、図２（ｃ）は、区画１１、１２を使用し終えるなどして、区画１３を払拭面とする場合の例を示している。この例では、区画１３を最下部にして区画１１、１２を区画１３上に折り重ね、その上に区画１４、１５を順次、折り重ねる。
なお、本例では、区画１５を最上部に折り重ねているが、区画１３上に区画１４、１５を折り重ね、その上に区画１２、１１を順次、折り重ねて、区画１１を最上部としてもよい。
【００２８】
なお、区画１４、１５を払拭面とする場合には夫々、区画１２、１１を払拭面とする場合に倣って、区画１４、１５を最下部とし、最上部に区画１１を折り重ねる。
【００２９】
以上のように区画１１、１２、１３、１４、１５を折り重ねた拭き布１は、区画１１を払拭面として用いる場合を示す図３のようにして、拭き取り掃除を行うことができる。
即ち、最上部の区画１５の開口部１５ａに手を挿し入れ、区画１５の下に層状に折り重なった区画１１、１２、１３、１４を押さえつけながら、区画１１で床や机等の汚れを拭き取ることができる。
【００３０】
なお、区画１２、１３、１４、１５を払拭面とする場合も同様であり、最上部の区画（１１又は１５）の開口部（１１ａ又は１５ａ）に手を挿し入れて用いる。
【００３１】
なお、拭き布１を拭き掃除に用いる場合の折り畳み方は、開口部１１ａ、１５ａが設けられた区画１１、１５のいずれかが最上部となれば、本例に示した折り畳み方以外の折り畳み方であってもよい。
また、区画１１、１２、１３、１４、１５の全てを、開口部を備えた袋状に形成した場合には、特定の区画を最上部とする必要はない。
【００３２】
以上の本実施形態によれば、拭き布が所定の大きさの区画１１、１２、１３、１４、１５に分けられているため、使用に応じて折り畳むだけで清潔な面による拭き掃除ができ、効率よく拭き掃除を行うことができる。
また、最上部の区画（１１又は１５）に形成されている開口部（１１ａ又は１５ａ）に手を挿し入れて用いることで、何層にも重なるように折り畳んだ状態でも使い勝手がよい。
【実施例２】
【００３３】
次に、本考案の第二の実施形態について、図４を参照して説明する。
本実施形態に係る拭き布５は、汚れを拭き取る雑巾や布きんとして用いられる布であり、縦横直角に交差した十字状からなる。
なお、この拭き布５も拭き布１と同様、木綿やレーヨン等、各種の繊維で構成することができ、特に素材は限定されない。
【００３４】
この拭き布１の布地には、第一の実施形態と同様、布地と異なる色であって、互いに異なる色の糸６１、６２、６３、６４、６５、６６、６７、６８、６９が縫着されている。また、この糸６１、６２、６３、６４、６５、６６、６７、６８、６９は夫々、互いに合同な略正方形の四角形状に縫着されており、さらに、当該四角形の一の対角線上にも縫着されている。
そして、糸６１、６２、６３、６４、６５、６６、６７、６８、６９によって区切られると共に、縦横に十字状に連設した四角形の面は夫々、前述の払拭面となる区画５１、５２、５３、５４、５５、５６、５７、５８、５９を構成する。
【００３５】
また、この区画５１、５２、５３、５４、５５、５６、５７、５８、５９にも、各区画５１、５２、５３、５４、５５、５６、５７、５８、５９を識別するための１から９の数字からなる識別標識７１、７２、７３、７４、７５、７６、７７、７８、７９が隅に刺繍されている。
【００３６】
また、拭き布５の一方の列の両端に位置する区画５１、５５は、一端側に開口部５１ａ、５５ａを有する袋状に形成され、手を挿し入れることができるようになっている。
【００３７】
また、区画５１の端部には、机や台等に取り付けられたフックなどに引掛けて、拭き布５を吊り下げるための吊下げ環８が縫い付けられている。
【００３８】
以上の構成からなる拭き布５を使用する場合には、払拭面とする区画（５１、５２、５３、５４、５５、５６、５７、５８、５９のいずれか）を最下部とし、その上に層状に他の区画を折り重ね、最上部に袋状に形成された区画５１又は区画５５が折り重なるようにする。
このように折り重ねることで、最上部から、層状に折り重なった区画を押さえつけながら、拭き掃除を行うことができる。
以上の拭き布５によれば、払拭面として用いることのできる区画が多いので、より効率的に拭き掃除を行うことができる。
【符号の説明】
【００３９】
１      拭き布
１１、１２、１３、１４、１５      区画
１１ａ、１５ａ      開口部
２１、２２、２３、２４、２５      糸
３１、３２、３３、３４、３５      識別標識
４      吊下げ環
５      拭き布
５１、５２、５３、５４、５５、５６、５７、５８、５９      区画
５１ａ、５５ａ      開口部
６１、６２、６３、６４、６５、６６、６７、６８、６９      糸
７１、７２、７３、７４、７５、７６、７７、７８、７９      識別標識
８      吊下げ環
【図１】
0003165339.tif 000003
【図２】
0003165339.tif 000004
【図３】
0003165339.tif 000005
【図４】
0003165339.tif 000006